(57)【要約】【課題】  強度と外観に優れており、かつ製造コストを低減することにより、国内生産でも採算がとれるようにした、籠盛に使用される籠盛用容器を提供する。【解決手段】  籠盛用容器(A)は、箱枠(1)と底板(2)と回り縁板(3)を備えてなる。箱枠(1)は四角形につくられ、底側の内面には底板(2)を嵌め入れる内溝(15)が設けてあり、開口部(18)となる側の外面には回り縁板(3)を嵌め入れる外溝(16)が設けてある。底板(2)は四角形につくられ、箱枠(1)の内溝(15)に嵌め入れてある。回り縁板(3)は内口が四角形となるようつくられて箱枠(1)の外溝(16)に嵌め入れてある。底板(2)と回り縁板(3)は、一枚板を打ち抜くことによってつくられている。【選択図】        図１
0003104541.tif 000002
【実用新案登録請求の範囲】
【請求項１】
箱枠(1)と、底板(2)と、箱枠(1)の周囲に設けてある回り縁板(3)を備えてなる籠盛用容器であって、
底板(2)と回り縁板(3)は、板を打ち抜くことによって形成されており、打ち抜かれた底板の外周形状は回り縁板の内周形状と本質的に同じかやや小さく形成されていることを特徴とする、
籠盛用容器。
【請求項２】
箱枠(1)と、底板(2)と、箱枠(1)の周囲に設けてある回り縁板(3)を備えてなる籠盛用容器であって、
箱枠(1)は四角形につくられ、底側の内面には底板(2)を嵌め入れる内溝(15)が設けてあり、開口部(18)となる側の外面には回り縁板(3)を嵌め入れる外溝(16)が設けてあり、
底板(2)は四角形につくられ、箱枠(1)の内溝(15)に嵌め入れてあり、
回り縁板(3)は内口(31)が四角形となるようつくられて、箱枠(1)の外溝(16)に嵌め入れてあり、
底板(2)と回り縁板(3)は、板を打ち抜くことによって形成されており、打ち抜かれた底板の外周形状は回り縁板の内口(31)の形状と本質的に同じかやや小さく形成されていることを特徴とする、
籠盛用容器。
【請求項３】
箱枠(1)と、底板(2)と、箱枠(1)の周囲に設けてある回り縁板(3)を備えてなる籠盛用容器であって、
箱枠(1)は四角形状に配された枠構成体(11,12,13,14)を有し、一方の相対向する枠構成体(11,12)の底側の内面には底板(2)を嵌め入れる内溝(15)が設けてあり、開口部(18)となる側の外面には回り縁板(3)を嵌め入れる外溝(16)が設けてあり、
他方の相対向する枠構成体(13,14)の底側の内面には底板(2)を嵌め入れる内溝(15)が設けてあり、開口部(18)となる側の外面には回り縁板(3)を嵌め入れる外溝(16)と、上記各外溝(16)を連通させる連通溝(17)が設けてあり、
底板(2)は四角形につくられ、箱枠(1)の内溝(15)に嵌め入れてあり、
回り縁板(3)は内口(31)が四角形となるようつくられて、箱枠(1)の外溝(16)及び連通溝(17)に嵌め入れてあり、
底板(2)と回り縁板(3)は、板を打ち抜くことによって形成されており、打ち抜かれた底板の外周形状は回り縁板の内口(31)の形状と本質的に同じかやや小さく形成されていることを特徴とする、
籠盛用容器。
【考案の詳細な説明】
【技術分野】
【０００１】
本考案は籠盛に使用される籠盛用容器に関する。更に詳しくは、強度と外観に優れており、かつ製造コストを低減することができるようにしたものに関する。
【背景技術】
【０００２】
例えば我国の大分県では、初盆（新盆）を迎える家に、親族や友人から籠盛（盛籠ともいう）を供物として送る慣習がある。籠盛は、脚台の上部に飾り棚を設け、飾り棚に収容した缶詰等の供物を花で飾ったものである（参考：図３）。
この飾り棚としては、図４に示すように、正面側が開口した箱の周囲に回り縁板を設けた構造の容器が使用されている。上記缶詰等は箱に入れられ、回り縁板を覆うように花が飾られる。
【０００３】
従来の籠盛用容器８のつくり方は、次のとおりである。まず、外面に溝８１を設けた木部品で四角形の箱枠８０をつくる。また、材料板を鋸で切断し、四枚の長方形状の縁板８３と一枚の底板８４をつくる。箱枠８０の回り四辺に各縁板８３を配して溝８１に入れ、更に端部を重ねて、各縁板８３同士をステープラ８５で止めて連結する。最後に、箱枠８０の底部に釘打ちにより底板８４を固定する。
【考案の開示】
【考案が解決しようとする課題】
【０００４】
従来のようにつくられた籠盛用容器には、次のような課題があった。
すなわち、鋸による切断では各部品の寸法精度が悪く、しかも切断部にはささくれができてしまい、製造時や製造後の取り扱い時において怪我をする危険があった。
【０００５】
回り縁板は、縁板を重ね合わせて形成するために、表面に段差があり、回り縁板自体に塗装や印刷等により装飾を施すことが困難であった。
【０００６】
また、特に材料を切断するための工程数が多く、コスト高となっていた。しかも、容器の要求価格が安いため、国内生産では採算がとれず、外国（中国等）生産で対応していた。
しかし、外国生産のものは粗悪品も多く、例えば強度が不十分で、僅かな衝撃等で簡単に壊れてしまったり、接合箇所の収まりや切断部分の仕上げが悪く、外観がいかにも見苦しかった。また、粗悪品に対し返品やクレームで対応しようとしても、製造業者が遠方であるため、うやむやにされてしまうことも多かった。更には、数万個単位の大量受注でないと受注が成立しないため、籠盛の生産業者側は必要なだけの仕入れができず、大量の在庫をかかえなければならなかった。
【０００７】
（本考案の目的）
本考案の目的は、籠盛用容器の強度を向上させて、多少の衝撃や外力では壊れることがないようにすることである。
【０００８】
本考案の他の目的は、回り縁板等の部品の切り口をきれいにしてささくれができるのを防止し、更にステープラ、釘等の金属固定具を使用しないようにし、製造時や取り扱い時の安全性を高め、出来上がりの外観をきれいにすることである。
【０００９】
また、回り縁板の表面の段差をなくして、回り縁板自体に塗装や印刷等により装飾を施すことができるようにして、籠盛用容器または籠盛の外観またはデザインに多様性を持たせることである。
【００１０】
更には、製造工程を簡素化して短時間でつくることができるようにし、製造コストの低減を図り、外国生産に依存せず国内生産でも採算がとれるようにすることである。
【課題を解決するための手段】
【００１１】
上記課題を解決するために本考案が講じた手段は次のとおりである。
第１の考案にあっては、
箱枠と、底板と、箱枠の周囲に設けてある回り縁板を備えてなる籠盛用容器であって、
底板と回り縁板は、板を打ち抜くことによって形成されており、打ち抜かれた底板の外周形状は回り縁板の内周形状と本質的に同じかやや小さく形成されていることを特徴とする、
籠盛用容器である。
【００１２】
第２の考案にあっては、
箱枠と、底板と、箱枠の周囲に設けてある回り縁板を備えてなる籠盛用容器であって、
箱枠は四角形につくられ、底側の内面には底板を嵌め入れる内溝が設けてあり、開口部となる側の外面には回り縁板を嵌め入れる外溝が設けてあり、
底板は四角形につくられ、箱枠の内溝に嵌め入れてあり、
回り縁板は内口が四角形となるようつくられて、箱枠の外溝に嵌め入れてあり、
底板と回り縁板は、板を打ち抜くことによって形成されており、打ち抜かれた底板の外周形状は回り縁板の内口の形状と本質的に同じかやや小さく形成されていることを特徴とする、
籠盛用容器である。
【００１３】
第３の考案にあっては、
箱枠と、底板と、箱枠の周囲に設けてある回り縁板を備えてなる籠盛用容器であって、
箱枠は四角形状に配された枠構成体を有し、一方の相対向する枠構成体の底側の内面には底板を嵌め入れる内溝が設けてあり、開口部となる側の外面には回り縁板を嵌め入れる外溝が設けてあり、
他方の相対向する枠構成体の底側の内面には底板を嵌め入れる内溝が設けてあり、開口部となる側の外面には回り縁板を嵌め入れる外溝と、上記各外溝を連通させる連通溝が設けてあり、
底板は四角形につくられ、箱枠の内溝に嵌め入れてあり、
回り縁板は内口が四角形となるようつくられて、箱枠の外溝及び連通溝に嵌め入れてあり、
底板と回り縁板は、板を打ち抜くことによって形成されており、打ち抜かれた底板の外周形状は回り縁板の内口の形状と本質的に同じかやや小さく形成されていることを特徴とする、
籠盛用容器である。
【００１４】
（作用）
本考案に係る籠盛用容器の作用を説明する。なお、ここでは、本考案の各構成要件のそれぞれに、後述する実施の形態において各部に付与した符号を対応させて付与し説明するが、この符号の付与は、あくまで説明の理解を助けるためであって各構成要件の上記各部への限定を意味するものではない。
【００１５】
籠盛用容器(A)は、灯明(7)や花台等を設けた脚台(4)に取り付けられる。箱枠(1)の内溝(15)に底板(2)を取り付けてつくられた箱に、缶詰等の供物(5)を収容する。また、供物(5)が見えるように、かつ箱枠(1)の外溝(16)に取り付けられた回り縁板(3)を覆うように造花(6)またはその他の装飾品で飾る。これにより、籠盛(K)が形成される。
【００１６】
底板(2)と回り縁板(3)は、板を打ち抜くことによってつくられており、打ち抜かれた底板(2)の外周形状は回り縁板の内口(31)の形状と本質的に同じかやや小さく形成されている。つまり、底板(2)と回り縁板(3)の二つの部品は、一工程でつくることができるので、生産性が向上し、製造コストを低減することができる。また、打ち抜きによる加工は、部品の寸法精度が高く、各部品を組み合わせたときの強度に優れている。更に、打ち抜き形状の自由度が高く、四角形に限らず、例えば円形、楕円形、ハート形等、様々な形状の底板(2)と回り縁板(3)を容易につくることができる。なお、底板(2)の外形と、回り縁板(3)の内口(31)の形状の大きさは本質的に同じであるが、これに限定せず、底板(2)の外形がやや小さくなるよう打ち抜くこともできる。
【００１７】
回り縁板(3)は、全周にわたり一枚ものであり、従来のように四枚の板を角部を重ねてステープラで接合する構造と比較して、強度に優れ、外観も見苦しくならない。
また、底板(2)も回り縁板(3)もそれぞれ内溝(15)と外溝(16)に嵌め入れて取り付けられるので、従来のように固定用の釘やステープラが表面に露出することがなく、全体的な外観もきれいである。
【考案の効果】
【００１８】
（ａ）本考案の籠盛用容器は、底板と回り縁板が、板を打ち抜くことによってつくられている。打ち抜きによる加工は、部品の寸法精度が高く、各部品を組み合わせたときの強度に優れている。これにより、籠盛用容器は、多少の衝撃や外力では壊れることがない。
また、打ち抜きにより形成される回り縁板は、全周にわたり一枚ものであり、従来のように四枚の板を角部を重ねてステープラで接合する構造と比較して強度に優れている。更に、底板も回り縁板もそれぞれ内溝と外溝に嵌め入れて取り付けられるので、従来のように固定用の釘やステープラが表面に露出することがなく、回り縁板が一枚ものであることも相まって全体的な外観にも優れている。
【００１９】
（ｂ）打ち抜きによる加工は、切り口（打ち抜き部）がきれいでささくれもない。これにより、籠盛用容器の製造時や取り扱い時の安全性が高い。また、打ち抜きによる加工は、打ち抜き形状の自由度が高く、打ち抜きの型さえ用意すれば、四角形に限らず、例えば円形、楕円形、ハート形等、様々な形状の底板と回り縁板を容易につくることができる。これにより、容器の箱形状も様々に形成できる。
【００２０】
（ｃ）回り縁板の表面に段差がないように形成できるので、回り縁板自体にあらかじめ部品の段階で塗装や印刷等により装飾を施すことができる。これにより、籠盛用容器または籠盛の外観またはデザインに多様性を持たせることができる。
【００２１】
（ｄ）本考案の籠盛用容器は、底板と回り縁板の二つの部品を打ち抜きによる一工程でつくることができるので、従来のものと比較して生産性が向上し、製造コストを低減することができ、外国生産に依存せず国内生産でも採算をとることが可能になる。
【考案を実施するための最良の形態】
【００２２】
本考案を図に示した実施例に基づき詳細に説明する。
【実施例】
【００２３】
図１は本考案に係る籠盛用容器の一実施の形態を示す斜視図、
図２は図１に示す籠盛用容器の分解斜視図である。
【００２４】
籠盛用容器Ａは、箱枠体１、底板２及び回り縁板３により構成されている。
箱枠体１は、相対向して二箇所に配される互いに同じ形状の短枠板１１、１２と、短枠板１１、１２と直角方向かつ相対向して二箇所に配される互いに同じ形状の長枠板１３、１４により構成されている。
【００２５】
短枠板１１、１２は、長方形に形成されている。短枠板１１、１２のうち、底部となる側の内面には、長手方向の全長にわたり内溝１５が設けてある。また、開口部１８となる側の外面には、同じく長手方向の全長にわたり外溝１６が設けてある。
【００２６】
長枠板１３、１４は、短枠板１１、１２と同じ幅で、より長い長方形状に形成してある。長枠板１３、１４のうち、底部となる側の内面には、長手方向の全長にわたり内溝１５が設けてある。
【００２７】
開口部１８となる側の外面には、同じく長手方向の全長にわたり外溝１６が設けてある。また、長枠板１３、１４の長手方向の両側端面には、外溝１６につながる連通溝１７が厚み方向に設けてある。連通溝１７は箱枠体１を組んだとき、短枠板１１、１２の外溝１６にもつながる。
【００２８】
短枠板１１、１２の内溝１５と長枠板１３、１４の内溝１５は連通し、短枠板１１、１２の外溝１６と長枠板１３、１４の外溝１６及び連通溝１７は連通する。内溝１５には底板２が嵌め入れられ、外溝１６及び連通溝１７には回り縁板３が嵌め入れられる。
【００２９】
底板２と回り縁板３は、打ち抜き型を使用しベニヤ板を打ち抜くことによって同時につくられている。回り縁板３は、外形が長方形状で、内口３１の形状が同じく長方形状である。底板２は、内口３１から打ち抜いたものであり、底板２の外形は、内口３１の形状と本質的に同じである。
【００３０】
つまり、底板２と回り縁板３は、回り縁板３の外形と、内口３１（底板２の外形）を一度に打ち抜くことにより、同時につくることができる。しかも、底板２と回り縁板３をつくる部分においては、ほぼ全部の材料が利用でき、材料の無駄が生じない。
【００３１】
内口３１の相対向する短辺３２の長さは、上記短枠板１１、１２の長さよりやや長くなるよう形成してある。また、内口３１の長辺３３の長さは、上記長枠板１３、１４の長さよりやや短く（両端部に設けてある連通溝１７の底間の長さとほぼ同じ）なるよう形成してある。
【００３２】
籠盛用容器Ａは、短枠板１１、１２と長枠板１３、１４によりつくられた箱枠体１の内溝１５に底板２を嵌め入れ、外溝１６に回り縁板３を嵌め入れてつくられる。つくる手順は次のとおりである。
【００３３】
（１）回り縁板３の内口３１の両長辺３３に外溝１６、連通溝１７を嵌め込んで長枠板１３、１４を仮に固定する。
（２）内口３１の一方の短辺３２に外溝１６を嵌め込んで一方の短枠板１１を仮に固定する。短枠板１１の長手方向両端部は、長枠板１３、１４の内面に当接している。
【００３４】
（３）他方の短枠板１２が配される側（この時点では開口している）から長枠板１３、１４の内溝１５に底板２の長辺２１を嵌め入れてスライドさせ、底板２の先端辺をすでに配されている短枠板１１の内溝１５に嵌め入れる。
【００３５】
（４）残りの短枠板１２を、外溝１６を回り縁板３の内口３１の短辺３２に嵌め込み、更に内溝１５を底板２の短辺２２に嵌め込んで仮に固定する。短枠板１２の長手方向両端部は、長枠板１３、１４の内面に当接している。
【００３６】
（５）内溝１５と底板２の嵌合部分及び外溝１６、連通溝１７と回り縁板３の嵌合部分に接着剤を入れて接着する。なお、上記（１）から（４）の手順を進めながら同時に接着するようにしてもよい。
【００３７】
（作用）
図３は籠盛用容器を使用した籠盛の斜視図である。
図１ないし図３を参照して籠盛用容器の作用を説明する。
【００３８】
籠盛用容器Ａは、脚台４の上部に取り付けられる。脚台４には、灯明７が設けられている。そして、箱枠体１の内溝１５に底板２を取り付けてつくられた箱に、缶詰等の供物５を収容する。また、供物５が見えるように、かつ箱枠体１の外溝１６に取り付けられた回り縁板３を覆うように造花６やリボン９で飾る。なお、造花やリボン以外の他の装飾品を使用することもできる。これにより、籠盛Ｋが形成される。
【００３９】
底板２と回り縁板３は、一枚のベニヤ板を打ち抜くことによって同時につくられており、回り縁板３のうち内口３１は底板２を打ち抜いた抜き跡で形成される。底板２と回り縁板３の二つの部品は、打ち抜きによる一工程でつくることができるので、生産性が向上する。
【００４０】
底板２と回り縁板３は、打ち抜きによる加工であるため寸法精度が高く、これらを箱枠体１と組み合わせたときの強度に優れている。
回り縁板３は、全周にわたり一枚ものであり、単体としても強度に優れ、外観も見苦しくならない。また、底板２も回り縁板３もそれぞれ内溝１５と外溝１６及び連通溝１７に嵌め入れて取り付けられるので、従来のように固定用の釘やステープラが表面に露出することがない。
【００４１】
なお、本明細書で使用している用語と表現は、あくまで説明上のものであって限定的なものではなく、上記用語、表現と等価の用語、表現を除外するものではない。また、本考案は図示されている実施の形態に限定されるものではなく、技術思想の範囲内において種々の変形が可能である。
【図面の簡単な説明】
【００４２】
【図１】本考案に係る籠盛用容器の一実施の形態を示す斜視図。
【図２】図１に示す籠盛用容器の分解斜視図。
【図３】籠盛用容器を使用した籠盛の斜視図。
【図４】従来の籠盛用容器の斜視図。
【符号の説明】
【００４３】
Ａ  籠盛用容器
１  箱枠体
１１、１２  短枠板
１３、１４  長枠板
１５  内溝
１６  外溝
１７  連通溝
１８  開口部
２  底板
２１  長辺
２２  短辺
３  回り縁板
３１  内口
３２  短辺
３３  長辺
４  脚台
５  供物
６  造花
７  灯明
Ｋ  籠盛
【図１】
0003104541.tif 000003
【図２】
0003104541.tif 000004
【図３】
0003104541.tif 000005
【図４】
0003104541.tif 000006